(57)【特許請求の範囲】
【請求項１】
接続箱本体の電線接続部を覆うと共に、該電線接続部に接続された電線が所定位置に引き出されるように接続箱本体の外面に沿って該電線の通る空間を画成する電線収容カバーを備えた電気接続箱において、
前記電線収容カバーに覆われる接続箱本体の外面には、前記電線を電線収容カバーの挿着経路からはみ出さないように所定幅を以て部分的に拘束する電線収束部材が装着されており、
前記電線収束部材の外面には、前記電線収容カバーの挿着時に該電線収容カバーの対向する嵌合壁部先端を挿入案内する案内テーパが設けられていることを特徴とする電気接続箱。
【発明の詳細な説明】
【０００１】
【発明の属する技術分野】
本発明は電気接続箱に関し、特に、接続箱本体の電線接続部を覆う電線収容カバーを備えた電気接続箱の改良に関する。
【０００２】
【従来の技術】
図４乃至図６は、リレーボックスとして使用される電気接続箱の従来例を示したものである。
この電気接続箱１は、実用新案登録第２５７１５５１号公報に記載のボックスと実質的に同一の構成であり、接続箱本体３と、該接続箱本体３に組み付けられる電線収容カバーとしてのアンダーカバー５とを備えた構成である。
【０００３】
ここで、前記接続箱本体３は、電気部品であるリレー７を嵌合装着する電気部品装着部９を上面に複数個備えると共に、下面には前記リレー７に電線１１を接続する電線接続部１３を複数個備えた構成であり、絶縁性の合成樹脂により射出成形された一体成形品である。
【０００４】
前記電気部品装着部９には、リレー７の端子７ａが前記電線接続部１３の定位置に突出するように、端子挿通孔が貫通形成されている。また、前記電線接続部１３には、電線１１の先端に圧着されたＬＡ端子１１ａをねじ止めするナット部材１５が嵌合保持される。そして、前記電気部品装着部９に装着されたリレー７の端子７ａは、電線接続部１３に組み付けられたナット部材１５の上に突出し、ボルト１７によりＬａ端子１１ａと共にナット部材１５に締め付け固定されることで、電線１１に電気的に接続された状態となる。
【０００５】
前記アンダーカバー５は、接続箱本体３の電線接続部１３の周囲を覆う底板２１と、接続箱本体３の両側に形成された接続作業用の切り欠き２７を覆う一対の蓋板２３，２３とを有した断面Ｕ字状をなしており、接続箱本体３の係止手段３ａに係合して接続箱本体３との連結を果たす係合手段２５を備えた構成であり、前記接続箱本体３と同様に絶縁性の合成樹脂により一体成形されている。そして、前記アンダーカバー５は、前記接続箱本体３上の各電線接続部１３に接続された複数本の電線１１が所定位置に引き出されるように、接続箱本体３の外面に沿って電線１１の通る空間１９を画成している。
【０００６】
前記アンダーカバー５の一対の蓋板２３，２３間には、これら一対の蓋板２３，２３間にスライド自在に係合されることで、これら一対の蓋板２３，２３相互間の離間距離を保持する間隔保持部材２９が挟装されている。
この間隔保持部材２９は、前記アンダーカバー５を接続箱本体３に組み付ける際に、一対の蓋板２３，２３の間隔が接続箱本体３の組み付け幅よりも窄まって組み付け操作が行い難くなることを防止するためのものである。
【０００７】
即ち、この間隔保持部材２９は、蓋板２３の内面に形成されたガイド溝２３ａによって、一対の蓋板２３，２３間で自由に上下動可能に支持されており、図５に示したように、前記接続箱本体３に対するアンダーカバー５の挿入初期には、一対の蓋板２３，２３の開口端側に位置している。
【０００８】
そこで、一対の蓋板２３，２３の先端間の間隔を間隔保持部材２９によって適正値に保持することができるので、組付けの際に蓋板２３，２３を拡げる等の手間を要さず、接続箱本体３にアンダーカバー５を容易に組み付けることができる。
そして、前記間隔保持部材２９は、挿入量の増大に伴って下方に押し下げられるので、アンダーカバー５の組付けや電線１１を通す際の障害になることもない（図６、参照）。
【０００９】
【発明が解決しようとする課題】
しかしながら、上述の如き電気接続箱１では、アンダーカバー５の組み付け時に、接続箱本体３の電線接続部１３に接続された電線１１がバラツキ、アンダーカバー５の挿入経路にはみ出している場合がある。
このような場合には、図６に示したように、アンダーカバー５と接続箱本体３との間に電線１１を噛み込んでしまうことがあり、組付け作業のやり直しのためにアンダーカバー５の組み付け作業性が低下したり、あるいは噛み込みにより電線１１が破損する可能性もあった。
【００１０】
従って、本発明の目的は上記課題を解消することにあり、接続箱本体の電線接続部に電線収容カバーを組み付ける際に、電線の噛み込みを確実に防止して組み付け作業性を向上させることができる良好な電気接続箱を提供することである。
【００１１】
【課題を解決するための手段】
本発明の上記目的は、接続箱本体の電線接続部を覆うと共に、該電線接続部に接続された電線が所定位置に引き出されるように接続箱本体の外面に沿って該電線の通る空間を画成する電線収容カバーを備えた電気接続箱において、
前記電線収容カバーに覆われる接続箱本体の外面には、前記電線を電線収容カバーの挿着経路からはみ出さないように所定幅を以て部分的に拘束する電線収束部材が装着されており、
前記電線収束部材の外面には、前記電線収容カバーの挿着時に該電線収容カバーの対向する嵌合壁部先端を挿入案内する案内テーパが設けられていることを特徴とする電気接続箱により達成される。
【００１２】
上記構成によれば、接続箱本体の電線接続部に接続された電線は、電線収束部材によって、電線収容カバーを接続箱本体に組み付ける際の前記電線収容カバーの挿着経路からはみ出さない範囲に予め拘束されてバラツキが抑えられる。
そこで、前記電線収容カバーに覆われる接続箱本体の外面に電線収束部材を装着した後に、該電線収容カバーの組付けを行なえば、接続箱本体と電線収容カバーとの間に電線を噛み込んでしまうことがない。
又、前記電線収束部材は、所定幅を以て部分的に電線を拘束するものであり、接続箱本体に固定される係合部分は部分的な狭い範囲なので、該電線収束部材を接続箱本体に装着する際には、電線の噛み込みを容易に防止することができる。
【００１３】
そして、この構成によれば、電線収容カバーの対向する嵌合壁部先端が前記案内テーパにより挿入案内されるので、電線収容カバーは、電線収束部材の案内テーパによって接続箱本体上の挿入位置に適正に位置決めされる。
【００１４】
又、成形時の反り等によって電線収容カバーの対向する嵌合壁部先端の間隔が狭くなっている場合にも、両嵌合壁部先端が前記案内テーパにより拡幅方向に挿入案内されるので、組付けの際に作業者が電線収容カバーの嵌合壁部先端を拡げる等の手間を要さず、接続箱本体を電線収容カバーに挿入するだけで容易に組み付けることができる。
【００１５】
【発明の実施の形態】
以下、添付図面に基づいて本発明の一実施形態に係る電気接続箱を詳細に説明する。
図１は本発明の一実施形態に係る電気接続箱を下面側から見た分解斜視図、図２は図１に示した電気接続箱において電線収容カバーの組み付け前に電線収束部材を組み付けた状態を示す縦断面図、図３は図１に示した電気接続箱の組立状態を示す縦断面図である。
【００１６】
本実施形態の電気接続箱３１は、図１に示したように、リレーボックスとして使用されるものであり、接続箱本体３３と、該接続箱本体３３に組み付けられる電線収容カバーとしてのアンダーカバー３５と、前記接続箱本体３３に装着される電線収束部材３７とを備えた構成である。
【００１７】
前記接続箱本体３３は、電気部品であるヒューズやリレー等を嵌合装着する図示しない電気部品装着部を上面３３ａに複数個備えると共に、下面には複数の電線４１を前記電気部品に接続する為の電線接続部４３を複数個備えた構成であり、絶縁性の合成樹脂により射出成形された一体成形品である。
【００１８】
接続箱本体３３の電気部品装着部には、ヒューズやリレー等の電気部品が嵌合固定される嵌合凹部が形成されると共に、これら電気部品の各端子が接続箱本体３３内のバスバー等に電気的に接続できるように端子挿通孔が貫通形成されている。
又、前記電線接続部４３は、例えば、電線４１の先端に圧着固定された接続端子を直接係止して保持する構造や、電線４１の先端に取付けたコネクタをコネクタ嵌合する構造を備える。
そこで、電気部品装着部に装着された電気部品は、接続箱本体３３内のバスバーや中継端子を介し、電線接続部４３に接続された電線４１と電気的に接続された状態となる。
【００１９】
前記アンダーカバー３５は、接続箱本体３３の電線接続部４３の周囲を覆う底板５１と、接続箱本体３３の両側に形成された接続作業用の切り欠き５７を覆う一対の蓋板５３ａ，５３ａを含む嵌合壁部５３とを有した断面Ｕ字状をなしており、接続箱本体３３の係止手段３３ｃに係合して接続箱本体３３との連結を果たす係合手段５２を備えた構成であり、前記接続箱本体３３と同様に絶縁性の合成樹脂により一体成形されている。
【００２０】
そして、前記アンダーカバー３５は、前記接続箱本体３３上の各電線接続部４３に接続された複数本の電線４１が所定位置（図１中、右側）に引き出されるように、接続箱本体３３の外面（本実施形態においては底面）に沿って電線４１の通る空間４９を画成している。
【００２１】
前記電線収束部材３７は、図１及び図２に示したように、電線４１をアンダーカバー３５の挿着経路（即ち、アンダーカバー３５における嵌合壁部５３の内側である前記接続箱本体３３の底面領域）からはみ出さないように所定幅を以て部分的に拘束する断面Ｕ字状のクランプ部材である。
又、前記電線収束部材３７の両開放端部の外面に突設された係合突起３７ａは、図２に示したように、前記接続箱本体３３のロック爪３３ｂに係合されることで、該接続箱本体３３に固定される。
【００２２】
更に、本実施形態における電線収束部材３７の外面には、該電線収束部材３７が接続箱本体３３に固定され、前記アンダーカバー３５が挿着される時に、該アンダーカバー３５の対向する蓋板５３ａ，５３ａの先端を拡幅方向に挿入案内する一対の案内テーパ３７ｂ，３７ｂが設けられている。
【００２３】
即ち、本実施形態の電気接続箱３１によれば、接続箱本体３３の電線接続部４３に接続された複数本の電線４１は、図２に示したように、前記電線収束部材３７によって、アンダーカバー３５を接続箱本体３３に組み付ける際の該アンダーカバー３５の挿着経路からはみ出さない範囲に予め拘束されてバラツキが抑えられる。
そこで、前記アンダーカバー３５に覆われる接続箱本体３３の外面に電線収束部材３７を装着した後に、該アンダーカバー３５の組付けを行なえば、接続箱本体３３とアンダーカバー３５との間に電線４１を噛み込んでしまうことがない。
【００２４】
又、前記電線収束部材３７は、所定幅を以て部分的に電線４１を拘束するものであり、接続箱本体３３に固定される係合部分としての両開放端部はアンダーカバー３５の嵌合壁部５３に比べて部分的な狭い範囲なので、該電線収束部材３７を接続箱本体３３に装着する際には、電線４１の噛み込みを容易に防止することができる。そこで、前記電線収束部材３７を接続箱本体３３に装着する際には、電線４１を噛み込んでしまって組付け作業をやり直したり、あるいは電線４１を破損する可能性がない。
【００２５】
更に、本実施形態における電線収束部材３７の場合、一対の案内テーパ３７ｂ，３７ｂが設けられているので、アンダーカバー３５を接続箱本体３３に装着する際には、アンダーカバー３５の対向する蓋板５３ａ，５３ａの先端が前記案内テーパ３７ｂ，３７ｂにより挿入案内される。そこで、アンダーカバー３５は、電線収束部材３７の案内テーパ３７ｂ，３７ｂによって接続箱本体３３上の挿入位置に適正に位置決めされる。
【００２６】
又、成形時の反り等によってアンダーカバー３５の対向する蓋板５３ａ，５３ａの先端の間隔が狭くなっている場合にも、両蓋板５３ａ，５３ａの先端が前記案内テーパ３７ｂ，３７ｂにより拡幅方向に挿入案内されるので、組付けの際に作業者がアンダーカバー３５の対向する蓋板５３ａ，５３ａの先端を拡げる等の手間を要さず、接続箱本体３３をアンダーカバー３５に挿入するだけで容易に組み付けることができる。
従って、本実施形態の電気接続箱３１においては、アンダーカバー３５の接続箱本体３３への組み付け作業性を、更に、円滑かつ容易にすることができる。
【００２７】
尚、本発明の電気接続箱における電線収容カバー、接続箱本体及び電線収束部材等の構成は、上記実施形態の構成に限定されるものではなく、本発明の趣旨に基づいて種々の形態を採りうることは云うまでもない。
例えば、上記実施形態においては本発明の電線収容カバーとしてアンダーカバー３５について説明したが、本発明の電線収容カバーはこれに限定されるものではなく、電線接続部が接続箱本体の上面に位置している場合には、電線収容カバーとしてアッパーカバーに応用することもできる。
又、前記電線収容カバーに覆われる接続箱本体の外面には、適宜複数個の電線収束部材を装着することもできる。
【００２８】
【発明の効果】
本発明の電気接続箱によれば、接続箱本体の電線接続部に接続された電線は、電線収束部材によって、電線収容カバーを接続箱本体に組み付ける際の前記電線収容カバーの挿着経路からはみ出さない範囲に予め拘束されてバラツキが抑えられる。
そこで、前記電線収容カバーに覆われる接続箱本体の外面に電線収束部材を装着した後に、該電線収容カバーの組付けを行なえば、接続箱本体と電線収容カバーとの間に電線を噛み込んでしまうことがない。
又、前記電線収束部材は、所定幅を以て部分的に電線を拘束するものであり、接続箱本体に固定される係合部分は部分的な狭い範囲なので、該電線収束部材を接続箱本体に装着する際には、電線の噛み込みを容易に防止することができる。
又、電線収容カバーの対向する嵌合壁部先端が前記案内テーパにより挿入案内されるので、電線収容カバーは、電線収束部材の案内テーパによって接続箱本体上の挿入位置に適正に位置決めされる。
又、成形時の反り等によって電線収容カバーの対向する嵌合壁部先端の間隔が狭くなっている場合にも、両嵌合壁部先端が前記案内テーパにより拡幅方向に挿入案内されるので、組付けの際に作業者が電線収容カバーの嵌合壁部先端を拡げる等の手間を要さず、接続箱本体を電線収容カバーに挿入するだけで容易に組み付けることができる。
従って、接続箱本体の電線接続部に電線収容カバーを組み付ける際に、電線の噛み込みを確実に防止して組み付け作業性を向上させることができる良好な電気接続箱を提供できる。
【図面の簡単な説明】
【図１】本発明の一実施形態に係る電気接続箱を下面側から見た分解斜視図である。
【図２】図１に示した電気接続箱において電線収容カバーの組み付け前に電線収束部材
を組み付けた状態を示す縦断面図である。
【図３】図１に示した電気接続箱の組立状態を示す縦断面図である。
【図４】従来の電気接続箱の分解斜視図である。
【図５】図４に示した電気接続箱における電線収容カバーの組み付け初期の状態を示す横断面図である。
【図６】図４に示した電気接続箱における問題点を説明する横断面図である。
【符号の説明】
３１  電気接続箱
３３  接続箱本体
３５  アンダーカバー
３７  電線収束部材
３７ｂ  案内テーパ
４１  電線
４３  電線接続部
【図１】
0003707663.tif 000002
【図２】
0003707663.tif 000003
【図３】
0003707663.tif 000004
【図４】
0003707663.tif 000005
【図５】
0003707663.tif 000006
【図６】
0003707663.tif 000007